(57)【要約】【課題】商品の製造における作業を増加させることなく、認証情報の不正取得を抑制すること。【解決手段】認証情報発行システム１は、所定のサービスを提供するためのパスコードを発行するシステムであって、パスコードの発行対象の商品である対象商品のパッケージに対して一回性動作が行われたか否かを判定する判定部１４と、一回性動作が行われたことが判定部１４によって判定されたことに応じて、パスコードを発行するパスコード発行部２１と、パスコード発行部２１によって発行されたパスコードを表示する表示部１５と、を備える。【選択図】図２
2016115056.tif 000002
【特許請求の範囲】
【請求項１】
所定のサービスを提供するための認証情報を発行する認証情報発行システムであって、
前記認証情報の発行対象の商品である対象商品のパッケージに対して一回性動作が行われたか否かを判定する判定手段と、
前記一回性動作が行われたことが前記判定手段によって判定されたことに応じて、前記認証情報を発行する認証情報発行手段と、
前記認証情報発行手段によって発行された前記認証情報を表示する表示手段と、
を備える、認証情報発行システム。
【請求項２】
撮像された画像を取得する画像取得手段をさらに備え、
前記判定手段は、前記画像取得手段によって取得された画像に基づいて、前記パッケージに対して前記一回性動作が行われたか否かを判定する、
請求項１に記載の認証情報発行システム。
【請求項３】
前記判定手段は、前記一回性動作が行われる前の前記パッケージの画像を含む画像、前記パッケージに対する前記一回性動作の画像を含む画像、及び、前記一回性動作が行われた後の前記パッケージの画像を含む画像の順に前記画像取得手段によって取得されたことに応じて、前記一回性動作が行われたと判定する、請求項２に記載の認証情報発行システム。
【請求項４】
前記判定手段は、前記一回性動作が行われた後の前記パッケージの画像を含む画像が前記画像取得手段によって取得されたか否かをさらに判定し、
前記表示手段は、前記一回性動作が行われた後の前記パッケージの画像を含む画像が前記画像取得手段によって取得されたことが前記判定手段によって判定された場合に、前記認証情報発行手段によって発行された前記認証情報を表示する、
請求項２または請求項３に記載の認証情報発行システム。
【請求項５】
前記表示手段は、前記画像取得手段によって取得された前記一回性動作が行われた後の前記パッケージの画像を含む画像において、前記認証情報発行手段によって発行された前記認証情報を前記パッケージの画像に重ねて表示する、請求項４に記載の認証情報発行システム。
【請求項６】
前記認証情報発行手段によって発行された前記認証情報の有効期限を管理する認証情報管理手段をさらに備え、
前記表示手段は、前記認証情報が発行されてから前記認証情報の有効期限までの間、前記認証情報を表示する、請求項１〜請求項５のいずれか一項に記載の認証情報発行システム。
【請求項７】
入力された認証情報を取得する認証情報取得手段と、
前記認証情報取得手段によって取得された前記認証情報の有効性を、前記認証情報管理手段によって管理された前記有効期限に基づいて確認する有効確認手段と、
前記有効確認手段によって、前記認証情報取得手段によって取得された前記認証情報が有効であることが確認された場合に、所定のサービスを提供する提供手段と、
をさらに備える、請求項６に記載の認証情報発行システム。
【請求項８】
前記一回性動作は、前記パッケージの開封動作である、請求項１〜請求項７のいずれか一項に記載の認証情報発行システム。
【請求項９】
所定のサービスを提供するための認証情報を発行する認証情報発行システムが行う認証情報発行方法であって、
前記認証情報の発行対象の商品である対象商品のパッケージに対する一回性動作が行われたか否かを判定する判定ステップと、
前記一回性動作が行われたことが前記判定ステップにおいて判定されたことに応じて、前記認証情報を発行する認証情報発行ステップと、
前記認証情報発行ステップにおいて発行された前記認証情報を表示する表示ステップと、
を含む、認証情報発行方法。
【発明の詳細な説明】
【技術分野】
【０００１】
本発明は、認証情報発行システム及び認証情報発行方法に関する。
【背景技術】
【０００２】
従来、菓子などの商品にユニークなパスコード（認証情報）を付与しておき、その認証情報を用いてサービスを提供することが行われている。このようなサービスの提供方法では、ユーザが商品を購入することなく認証情報を不正に取得することを防止するための仕組みが施されている。
【０００３】
例えば、特許文献１及び特許文献２には、商品のパッケージを開封しなければユーザの目に触れない箇所に認証情報を印刷する構成、シールによって認証情報を覆い隠す構成等が記載されている。
【先行技術文献】
【特許文献】
【０００４】
【特許文献１】特開２００２−１８３５７１号公報
【特許文献２】特開２００２−３４２５２５号公報
【発明の概要】
【発明が解決しようとする課題】
【０００５】
しかしながら、特許文献１及び特許文献２に記載の構成では、認証情報の不正取得を防止するために、商品の製造において、パッケージの内側に認証情報を印刷したり、パッケージにシールを貼り付けたりするといった作業が必要になる。
【０００６】
本発明は、上記問題点に鑑みてなされたものであり、商品の製造における作業を増加させることなく、認証情報の不正取得を抑制可能な認証情報発行システム及び認証情報発行方法を提供することを目的とする。
【課題を解決するための手段】
【０００７】
本発明の一態様に係る認証情報発行システムは、所定のサービスを提供するための認証情報を発行する認証情報発行システムである。この認証情報発行システムは、認証情報の発行対象の商品である対象商品のパッケージに対して一回性動作が行われたか否かを判定する判定手段と、一回性動作が行われたことが判定手段によって判定されたことに応じて、認証情報を発行する認証情報発行手段と、認証情報発行手段によって発行された認証情報を表示する表示手段と、を備える。
【０００８】
この認証情報発行システムによれば、対象商品のパッケージに対して一回性動作が行われたことが判定されたことに応じて、認証情報が発行され、発行された認証情報が表示される。対象商品のパッケージに対する一回性動作は、動作が行われる前の状態にパッケージを戻すことができない不可逆な動作であるので、商品を購入した後で行われ、対象商品の購入に対して認証情報が一度だけ発行される。そして、対象商品のパッケージに対する一回性動作は、汎用のパッケージを用いて行われ得るので、認証情報の発行のために特別なパッケージを準備する必要がない。このため、商品の製造における作業を増加させることなく、認証情報が不正に取得されることを抑制することが可能となる。
【０００９】
本発明のさらに別の態様に係る認証情報発行システムは、撮像された画像を取得する画像取得手段をさらに備えてもよい。判定手段は、画像取得手段によって取得された画像に基づいて、パッケージに対して一回性動作が行われたか否かを判定してもよい。所定の動作が行われたか否かの判定は、音などを用いるよりも画像を用いた方が精度が高い。このため、画像を用いて一回性動作を判定することによって、一回性動作の判定精度を向上することが可能となる。
【００１０】
判定手段は、一回性動作が行われる前のパッケージの画像を含む画像、パッケージに対する一回性動作の画像を含む画像、及び、一回性動作が行われた後のパッケージの画像を含む画像の順に画像取得手段によって取得されたことに応じて、一回性動作が行われたと判定してもよい。この場合、一回性動作だけでなく、一回性動作が行われる前後のパッケージの画像を用いて、一回性動作が行われたことが判定される。このように、複数の判定ポイントが用いられるので、一回性動作の判定精度をさらに向上することが可能となる。
【００１１】
判定手段は、一回性動作が行われた後のパッケージの画像を含む画像が画像取得手段によって取得されたか否かをさらに判定し、表示手段は、一回性動作が行われた後のパッケージの画像を含む画像が画像取得手段によって取得されたことが判定手段によって判定された場合に、認証情報発行手段によって発行された認証情報を表示してもよい。この場合、一回性動作が行われた後のパッケージの画像を含む画像を撮像することによって、発行された認証情報を表示することができる。
【００１２】
表示手段は、画像取得手段によって取得された一回性動作が行われた後のパッケージの画像を含む画像において、認証情報発行手段によって発行された認証情報をパッケージの画像に重ねて表示してもよい。認証情報をパッケージに重ねて表示することによって、パッケージに認証情報が印刷されているようにユーザに見せることができる。
【００１３】
本発明のさらに別の態様に係る認証情報発行システムは、認証情報発行手段によって発行された認証情報の有効期限を管理する認証情報管理手段をさらに備えてもよい。表示手段は、認証情報が発行されてから認証情報の有効期限までの間、認証情報を表示してもよい。この場合、認証情報が発行されてから一定時間だけ認証情報が表示されるので、サービスの提供を受けることをユーザに促すことができる。
【００１４】
本発明のさらに別の態様に係る認証情報発行システムは、入力された認証情報を取得する認証情報取得手段と、認証情報取得手段によって取得された認証情報の有効性を、認証情報管理手段によって管理された有効期限に基づいて確認する有効確認手段と、有効確認手段によって、認証情報取得手段によって取得された前記認証情報が有効であることが確認された場合に、所定のサービスを提供する提供手段と、をさらに備えてもよい。この場合、認証情報が有効期限までに使用された場合に限ってサービスが提供されるので、サービスの提供を期間限定とすることができる。これにより、サービスの提供を受けることをユーザに促すことができる。
【００１５】
一回性動作は、パッケージの開封動作であってもよい。この場合、対象商品のパッケージの開封動作が行われたことが判定されたことに応じて、認証情報が発行され、発行された認証情報が表示される。パッケージの開封動作は、商品の購入後に行われる不可逆な行為であり、汎用のパッケージを用いて行われ得るので、認証情報の発行のために特別なパッケージを準備する必要がない。このため、商品の製造における作業を増加させることなく、認証情報が不正に取得されることを抑制することが可能となる。
【００１６】
ところで、本発明は、上記のように認証情報発行システムの発明として記述できる他に、以下のように認証情報発行方法の発明としても記述することができる。これはカテゴリが異なるだけで、実質的に同一の発明であり、同様の作用及び効果を奏する。
【００１７】
すなわち、本発明のさらに別の態様に係る認証情報発行方法は、所定のサービスを提供するための認証情報を発行する認証情報発行システムが行う認証情報発行方法である。この認証情報発行方法は、認証情報の発行対象の商品である対象商品のパッケージに対する一回性動作が行われたか否かを判定する判定ステップと、一回性動作が行われたことが判定ステップにおいて判定されたことに応じて、認証情報を発行する認証情報発行ステップと、認証情報発行ステップにおいて発行された認証情報を表示する表示ステップと、を含む。
【発明の効果】
【００１８】
本発明によれば、商品の製造における作業を増加させることなく、認証情報の不正取得を抑制できる。
【図面の簡単な説明】
【００１９】
【図１】第１実施形態に係る認証情報発行システムの構成を概略的に示す図である。
【図２】第１実施形態に係る認証情報発行システムの機能構成を示すブロック図である。
【図３】図１の端末装置のハードウェア構成図である。
【図４】（ａ）は未開封のパッケージの画像の一例を示す図、（ｂ）は開封動作の画像の一例を示す図、（ｃ）は開封済みパッケージの画像の一例を示す図である。
【図５】（ａ）はパスコード表示画像の一例を示す図、（ｂ）はパスコード非表示画像の一例を示す図である。
【図６】図１のサーバ装置のハードウェア構成図である。
【図７】図１の認証情報発行システムが実行する認証情報発行処理の一例を示すフローチャートである。
【図８】図１の認証情報発行システムが実行する認証情報表示処理の一例を示すフローチャートである。
【図９】図１の認証情報発行システムが実行するサービス提供処理の一例を示すフローチャートである。
【図１０】図１の認証情報発行システムにおける一連の動作の一例を示すシーケンス図である。
【図１１】第２実施形態に係る認証情報発行システムの機能構成を示すブロック図である。
【発明を実施するための形態】
【００２０】
以下、添付図面を参照しながら本発明の実施形態を詳細に説明する。図面の説明において、同一又は同等の要素には同一符号を用い、重複する説明を省略する。
【００２１】
図１は、第１実施形態に係る認証情報発行システムの構成を概略的に示す図である。図１に示されるように、認証情報発行システム１は、１以上の端末装置１０と、サーバ装置２０と、を含んで構成される。認証情報発行システム１は、認証情報の発行対象の商品である対象商品を購入したユーザに、所定のサービスを提供するための認証情報を発行するシステムである。認証情報は、ユニークな（一意の）情報である。この実施形態では、認証情報としてパスコードが用いられる。パスコードは、例えば、数字の羅列、「絵」または「文字」等の一意に識別可能な情報であれば如何なる情報であってもよい。対象商品は、ユーザが購入し得る商品である。対象商品としては、例えば、菓子等の食料品が挙げられる。
【００２２】
端末装置１０は、ユーザにより用いられ、画像を取得可能な装置である。端末装置１０は、例えば、スマートフォン等の携帯電話機、タブレット型端末、ノートＰＣ（Personal Computer）等である。サーバ装置２０は、端末装置１０に認証情報（パスコード）を発行する認証情報発行装置である。サーバ装置２０は、例えば、情報処理装置によって構成されている。サーバ装置２０は、ユーザ情報ＤＢ３０及びパスコードＤＢ４０と通信可能に接続されている。ユーザ情報ＤＢ３０は、各端末装置１０のユーザの情報を保持しているデータベースである。パスコードＤＢ４０は、サーバ装置２０によって発行されたパスコードを管理するためのデータベースである。以下、ユーザ情報ＤＢ３０及びパスコードＤＢ４０は、サーバ装置２０に含まれるものとして説明を行うが、ユーザ情報ＤＢ３０及びパスコードＤＢ４０は、それぞれサーバ装置２０とは異なる装置であってもよい。
【００２３】
なお、端末装置１０とサーバ装置２０とは、ネットワークＮＷを介して互いに通信可能に接続されている。このネットワークＮＷは、有線及び無線のいずれで構成されてもよく、例えば、移動体通信網、インターネット、有線ＷＡＮ（Wide Area Network）、無線ＷＡＮ、有線ＬＡＮ（Local Area Network）、無線ＬＡＮ等のネットワークである。
【００２４】
次に、図２を参照して、認証情報発行システム１の機能構成について説明する。図２は、認証情報発行システム１の機能構成を示すブロック図である。図２に示されるように、端末装置１０は、機能的には、画像取得部１１と、画像記憶部１２と、画像記憶部１３と、判定部１４と、表示部１５と、パスコード取得部１６と、を備える。端末装置１０は、図３に示されるハードウェアによって構成される。
【００２５】
図３は、端末装置１０のハードウェア構成図である。図３に示されるように、端末装置１０は、物理的には、１又は複数のＣＰＵ（Central Processing Unit）１０１、主記憶装置であるＲＡＭ（RandomAccess Memory）１０２及びＲＯＭ（Read Only Memory)１０３、データ送受信デバイスである通信モジュール１０４、半導体メモリ等の補助記憶装置１０５、タッチパネル等のユーザの入力を受け付ける入力装置１０６、ディスプレイ等の表示装置１０７、並びに、デジタルカメラ等の撮像装置１０８等のハードウェアを備えるコンピュータとして構成される。図２における端末装置１０の各機能は、ＣＰＵ１０１、ＲＡＭ１０２等のハードウェア上に１又は複数の所定のコンピュータソフトウェアを読み込ませることにより、ＣＰＵ１０１の制御のもとで通信モジュール１０４、入力装置１０６、表示装置１０７及び撮像装置１０８を動作させるとともに、ＲＡＭ１０２及び補助記憶装置１０５におけるデータの読み出し及び書き込みを行うことで実現される。
【００２６】
図２に戻って、端末装置１０の機能構成について詳細に説明する。画像取得部１１は、撮像された画像を取得する画像取得手段として機能する。画像取得部１１は、例えば、動画像を取得する。画像取得部１１は、取得した画像を画像記憶部１２に出力する。
【００２７】
画像記憶部１２は、画像取得部１１によって取得された画像を記憶する画像記憶手段として機能する。画像記憶部１２は、記憶している画像を判定部１４及び表示部１５に出力する。
【００２８】
画像記憶部１３は、判定部１４における一回性動作の判定用の画像を記憶する画像記憶手段として機能する。画像記憶部１３は、例えば、対象商品の未開封のパッケージの画像、対象商品の開封済みパッケージの画像、対象商品のパッケージに対する開封動作の動画像を記憶している。対象商品の未開封のパッケージの画像及び対象商品の開封済みのパッケージの画像としては、例えば、正面画像が記憶されている。パッケージを割いて開封する場合、割いて剥がれる部分の形状などが開封済みパッケージの特徴点として記憶されてもよい。なお、対象商品のパッケージとは、対象商品を提供するための部材であって、対象商品のパッケージとしては、箱、袋、容器、及び、包装等が用いられ得る。
【００２９】
判定部１４は、一回性動作判定及びパスコード表示判定を行う判定手段として機能する。一回性動作判定とは、対象商品のパッケージに対して一回性動作が行われたか否かの判定である。この一回性動作は、動作が行われる前の状態に戻すことができない不可逆な動作である。一回性動作として、例えば、対象商品のパッケージの開封動作が挙げられる。パスコード表示判定とは、サーバ装置２０によって発行されたパスコードを表示部１５に表示させるための判定である。
【００３０】
判定部１４は、例えば、対象商品の専用のアプリケーションが実行され、認証モードに設定されることによって、一回性動作判定を行う。判定部１４は、例えば、画像取得部１１によって取得された画像に基づいて、対象商品のパッケージに対して一回性動作が行われたか否かを判定する。判定部１４は、一回性動作が行われたと判定した場合、端末装置１０を識別可能な端末ＩＤ（IDentification）とともにパスコード発行要求をサーバ装置２０に送信する。
【００３１】
一回性動作判定は、例えば、複合判定によって行われる。具体的に説明すると、判定部１４は、一回性動作が行われる前の対象商品のパッケージの画像を含む画像、対象商品のパッケージに対する一回性動作の画像を含む画像、及び、一回性動作が行われた後の対象商品のパッケージの画像を含む画像の順に画像取得部１１によって取得されたことに応じて、一回性動作が行われたと判定する。例えば、判定部１４は、画像取得部１１によって取得された一連の動画像に、図４の（ａ）に示されるような対象商品の未開封のパッケージの画像Ｐｎ、図４の（ｂ）に示されるような対象商品のパッケージを開封する動作の画像Ｐｍ、図４の（ｃ）に示されるような対象商品の開封済みのパッケージの画像Ｐｏがその順に含まれていると判定した場合に、対象商品のパッケージに対して一回性動作が行われたと判定する。
【００３２】
判定部１４は、例えば、画像記憶部１２に記憶されている一連の動画像から静止画をキャプチャし、画像記憶部１３に記憶されている対象商品の未開封のパッケージの画像と、キャプチャした静止画とを比較し、類似度を算出する。この類似度の算出は、画像における複数のポイント（特徴点）を用いて行われる。この類似度の算出方法は、公知であるので、詳細な説明を省略する。判定部１４は、例えば、類似度が予め定められている値を超える場合に、キャプチャした静止画、つまり画像取得部１１によって取得された動画像に対象商品の未開封のパッケージの画像が含まれていると判定し、類似度が予め定められている値以下である場合に、画像取得部１１によって取得された動画像に対象商品の未開封のパッケージの画像が含まれていないと判定する。
【００３３】
判定部１４は、対象商品の未開封のパッケージの画像が含まれているか否かの判定で用いられた一連の動画像のうち、対象商品の未開封パッケージが含まれると判定された時点以降の動画像を用いて、対象商品のパッケージの開封動作の画像が含まれているか否かの判定を行う。判定部１４は、例えば、動画像における複数の特徴点と、画像記憶部１３に記憶されている開封動作の動画像の複数の特徴点と、を比較し、動作の類似度を算出する。判定部１４は、例えば、類似度が予め定められている値を超える場合に、画像取得部１１によって取得された動画像に、対象商品のパッケージの開封動作の画像が含まれていると判定し、類似度が予め定められている値以下である場合に、画像取得部１１によって取得された動画像に対象商品のパッケージの開封動作の画像が含まれていないと判定する。
【００３４】
判定部１４は、例えば、対象商品のパッケージの開封動作の画像が含まれているか否かの判定で用いられた一連の動画像のうち、対象商品のパッケージの開封動作が含まれると判定された時点以降の動画像から静止画をキャプチャする。判定部１４は、画像記憶部１３に記憶されている対象商品の開封済みのパッケージの画像と、キャプチャした静止画とを比較し、類似度を算出する。判定部１４は、例えば、類似度が予め定められている値を超える場合に、キャプチャした静止画、つまり画像取得部１１によって取得された動画像に対象商品の開封済みのパッケージの画像が含まれていると判定し、類似度が予め定められている値以下である場合に、画像取得部１１によって取得された動画像に対象商品の開封済みのパッケージの画像が含まれていないと判定する。
【００３５】
判定部１４は、例えば、対象商品の専用のアプリケーションが実行され、表示モードに設定されることによって、パスコード表示判定を行う。判定部１４は、パスコード表示判定として、一回性動作が行われた後のパッケージの画像を含む画像が画像取得部１１によって取得されたか否かを判定する。この判定の対象となる画像は、一回性動作の画像が含まれる画像だけでなく、その後に画像取得部１１によって取得された画像も含まれる。判定部１４は、一回性動作が行われた後の対象商品のパッケージの画像を含む画像が画像取得部１１によって取得されたと判定した場合、端末ＩＤとともにパスコード表示要求をサーバ装置２０に送信する。
【００３６】
判定部１４は、例えば、対象商品の開封済みパッケージの画像が画像記憶部１２に記憶されている画像に含まれているか否かによって、一回性動作が行われた後の対象商品のパッケージの画像を含む画像が画像取得部１１によって取得されたか否かを判定する。判定部１４は、対象商品の未開封のパッケージの画像判定と同様にして、画像記憶部１２に記憶されている動画像から静止画をキャプチャし、画像記憶部１３に記憶されている対象商品の開封済みのパッケージの画像と、キャプチャした静止画とを比較し、類似度を算出する。判定部１４は、例えば、類似度が予め定められている値を超える場合に、画像取得部１１によって取得された動画像に対象商品の開封済みのパッケージの画像が含まれていると判定し、類似度が予め定められている値以下である場合に、画像取得部１１によって取得された動画像に対象商品の開封済みのパッケージの画像が含まれていないと判定する。なお、パスコード表示判定では、対象商品の開封済みのパッケージと、一回性動作判定に用いられたパッケージと、の同一性は判定されなくてもよい。
【００３７】
判定部１４における各判定処理では、対象商品のパッケージにおける所定の部分が認識されることによって、パッケージの位置及び向き等が検出される。静止画の比較では、キャプチャされた静止画がパッケージの位置及び向き等によって補正される。動作の比較では、定点からのアングル判定が行われる。例えば、左から右への動作に対して、定点によっては画像上、上から下への動作になる場合があるが、このような場合も同じ動作として判定される。このように、開封前後のパッケージの特徴点による判定及びユーザの動作の方向性による判定といった複合的な判定が行われる。
【００３８】
表示部１５は、後述するパスコード発行部２１によって発行されたパスコードを表示する表示手段として機能する。表示部１５は、画像取得部１１によって取得された動画像、つまり画像記憶部１２に記憶されている動画像を表示する。表示部１５は、一回性動作が行われた後のパッケージの画像を含む画像が画像取得部１１によって取得されたことが判定部１４によって判定された場合に、パスコード発行部２１によって発行されたパスコードを表示する。
【００３９】
表示部１５は、例えば、パスコード発行部２１によって発行されたパスコードをＡＲ（Augmented Reality；拡張現実感）表示する。具体的には、図５の（ａ）に示されるように、表示部１５は、画像取得部１１によって取得された開封済みパッケージの画像Ｐｏを含む画像において、パスコード発行部２１によって発行されたパスコードの画像Ｃを開封済みパッケージの画像Ｐｏに重ねて表示する。表示部１５は、パスコードが発行されてからパスコードの有効期限までのパスコードの有効期間において、対象商品の開封済みパッケージの画像Ｐｏを含む画像が画像取得部１１によって取得されるごとに、パスコードを表示する。
【００４０】
表示部１５は、パスコードの有効期限を経過した後においては、対象商品の開封済みパッケージの画像Ｐｏを含む画像が画像取得部１１によって取得されたとしても、パスコードの表示を行わない。例えば、図５の（ｂ）に示されるように、表示部１５は、パスコードの表示を行うことなく、画像取得部１１によって取得された動画像を表示する。表示部１５は、パスコードの有効期限を経過した後において、パスコードが失効していることを示す警告を表示してもよい。
【００４１】
表示部１５は、サーバ装置２０から送信された所定のサービスに関する情報をさらに表示する。所定のサービスに関する情報としては、コンテンツ、クーポン、ゲームの利用権を取得したことを示す情報、キャンペーンへのエントリーが行われたことを示す情報等がある。
【００４２】
パスコード取得部１６は、ユーザによって入力されたパスコードを取得する認証情報取得手段として機能する。パスコード取得部１６は、例えば、パスコードを入力するための専用のアプリケーションまたはウェブページ等に、入力装置１０６を用いてユーザによって入力されたパスコードを取得する。パスコードの入力は、表示部１５に表示されたパスコード入力用のボックス等にパスコードを直接入力すること、または、表示部１５に表示されたパスコードをユーザがタッチすること等によって行われる。パスコード取得部１６は、取得したパスコードをサーバ装置２０に送信する。
【００４３】
次に、サーバ装置２０の機能構成について説明する。サーバ装置２０は、機能的には、パスコード発行部２１と、パスコード管理部２２と、有効確認部２３と、提供部２４と、を備える。サーバ装置２０は、図６に示されるハードウェアによって構成される。
【００４４】
図６は、サーバ装置２０のハードウェア構成図である。図６に示されるように、サーバ装置２０は、物理的には、１又は複数のＣＰＵ２０１、主記憶装置であるＲＡＭ２０２及びＲＯＭ２０３、データ送受信デバイスである通信モジュール２０４、ハードディスク等の補助記憶装置２０５、並びに、タイマー等の計時装置２０６等のハードウェアを備えるコンピュータとして構成される。図２におけるサーバ装置２０の各機能は、図６に示されるＣＰＵ２０１、ＲＡＭ２０２等のハードウェア上に１又は複数の所定のコンピュータソフトウェアを読み込ませることにより、ＣＰＵ２０１の制御のもとで通信モジュール２０４及び計時装置２０６を動作させるとともに、ＲＡＭ２０２及び補助記憶装置２０５におけるデータの読み出し及び書き込みを行うことで実現される。
【００４５】
図２に戻って、サーバ装置２０の機能構成について詳細に説明する。パスコード発行部２１は、一回性動作が行われたことが判定部１４によって判定されたことに応じて、サービスの提供を受けるためのパスコードを発行する認証情報発行手段として機能する。つまり、パスコード発行部２１は、端末装置１０から端末ＩＤ及びパスコード発行要求を受信したことに応じてパスコードを発行し、発行したパスコードと、パスコード発行要求を送信した端末装置１０の端末ＩＤと、をパスコード管理部２２に出力する。パスコード発行部２１は、パスコード発行要求を送信した端末装置１０に、発行したパスコードを送信する。パスコードの送信は、メール等によって行われてもよい。
【００４６】
パスコード発行部２１は、端末装置１０から端末ＩＤ及びパスコード表示要求を受信したことに応じて、端末装置１０に発行したパスコードの有効性を確認するように有効確認部２３に指示する。パスコード発行部２１は、端末装置１０に発行したパスコードが有効であることが有効確認部２３によって確認された場合、端末装置１０に発行したパスコードを端末装置１０に再送信する。パスコード発行部２１は、端末装置１０に発行したパスコードが無効であることが有効確認部２３によって確認された場合、端末装置１０に発行したパスコードが無効であることを示す情報を端末装置１０に送信する。
【００４７】
パスコード管理部２２は、パスコード発行部２１によって発行されたパスコードの有効期限を管理する認証情報管理手段として機能する。パスコード管理部２２は、パスコード発行部２１から端末ＩＤ及びパスコードを受信すると、受信した端末ＩＤ及びパスコードとともにそのパスコードの発行時刻を示す時刻情報及びパスコードの有効性を示す有効性情報をパスコード管理テーブルに記憶する。パスコードは、パスコードの発行時刻からパスコードの有効期限まで有効であり、パスコードの有効期限が経過すると失効する。パスコードの有効期限は、パスコードの発行時刻に予め設定された時間を加えた時刻である。
【００４８】
パスコード管理部２２は、パスコード発行部２１によって発行されたパスコードについて、パスコード発行時刻からの経過時間を計測し、パスコードの有効期限が経過したか否かを判定する。有効性情報は、パスコードの有効期限が経過していない場合に、そのパスコードは有効であることを示し、パスコードの有効期限が経過している場合に、そのパスコードは無効である（失効している）ことを示す。
【００４９】
有効確認部２３は、パスコードの有効性を、パスコード管理部２２によって管理されている有効期限に基づいて確認する有効確認手段として機能する。有効確認部２３は、パスコード発行部２１によって端末装置１０に発行されたパスコードの有効性を確認する指示をパスコード発行部２１から受信したことに応じて、パスコード管理部２２が有するパスコード管理テーブルに基づいてそのパスコードの有効性を確認する。有効確認部２３は、端末装置１０に発行されたパスコードが有効であるか無効であるかをパスコード発行部２１に通知する。
【００５０】
有効確認部２３は、パスコード取得部１６からパスコードを受信したことに応じて、パスコード管理部２２が有するパスコード管理テーブルに基づいて、受信したパスコードの有効性を確認する。有効確認部２３は、パスコード取得部１６から受信したパスコードが有効であるか無効であるかを提供部２４に通知する。
【００５１】
提供部２４は、パスコード取得部１６によって送信されたパスコードが有効であることが有効確認部２３によって確認された場合に、所定のサービスを提供する提供手段として機能する。所定のサービスとしては、コンテンツの提供、ゲーム利用権の提供、クーポンの提供、キャンペーンエントリー等がある。提供部２４は、例えば、所定のサービスとしてコンテンツの提供を行う場合、有効なパスコードを送信した端末装置１０に、コンテンツを送信する。提供部２４は、パスコード取得部１６によって送信されたパスコードが無効であることが有効確認部２３によって確認された場合に、パスコードを送信した端末装置１０に、パスコードが無効であることを示すための情報を送信する。
【００５２】
次に、図７を参照して、認証情報発行システム１の認証情報発行処理を説明する。図７は、認証情報発行システム１が実行する認証情報発行処理の一例を示すフローチャートである。図７に示される一連の処理は、例えば、端末装置１０において対象商品の専用のアプリケーションが実行され、認証モードに設定されることにより開始される。なお、この例では、一回性動作として開封動作が用いられる。
【００５３】
まず、撮像装置１０８を用いて一連の動作の撮像が行われる。そして、画像取得部１１は撮像された動画像を取得し（ステップＳ０１）、取得した動画像を画像記憶部１２に記憶する。そして、判定部１４は、画像取得部１１によって取得された動画像に対象商品の未開封のパッケージの画像が含まれているか否かを判定する（ステップＳ０２；判定ステップ）。
【００５４】
ステップＳ０２において、画像取得部１１によって取得された動画像に対象商品の未開封のパッケージの画像が含まれていると判定された場合（ステップＳ０２；Ｙｅｓ）、判定部１４は、画像取得部１１によって取得された動画像に対象商品のパッケージの開封動作の画像が含まれているか否か判定する（ステップＳ０３；判定ステップ）。ステップＳ０３において、画像取得部１１によって取得された動画像に対象商品のパッケージの開封動作の画像が含まれていると判定された場合（ステップＳ０３；Ｙｅｓ）、判定部１４は、画像取得部１１によって取得された動画像に対象商品の開封済みのパッケージの画像が含まれているか否かを判定する（ステップＳ０４；判定ステップ）。
【００５５】
ステップＳ０４において、画像取得部１１によって取得された動画像に対象商品の開封済みのパッケージの画像が含まれていると判定された場合（ステップＳ０４；Ｙｅｓ）、判定部１４は、対象商品のパッケージに対して開封動作が行われたと判定し、端末装置１０の端末ＩＤとともにパスコード発行要求をサーバ装置２０に送信する。そして、パスコード発行部２１は、端末装置１０から端末ＩＤ及びパスコード発行要求を受信したことに応じてパスコードを発行し、発行したパスコードと、パスコード発行要求を送信した端末装置１０の端末ＩＤと、をパスコード管理部２２に出力する（ステップＳ０５；認証情報発行ステップ）。そして、パスコード発行部２１は、パスコード発行要求を送信した端末装置１０に、発行したパスコードを送信し、認証情報発行処理の一連の処理が終了する。
【００５６】
一方、ステップＳ０２において、画像取得部１１によって取得された動画像に対象商品の未開封のパッケージの画像が含まれていないと判定された場合（ステップＳ０２；Ｎｏ）、ステップＳ０３において、画像取得部１１によって取得された動画像に対象商品のパッケージの開封動作の画像が含まれていないと判定された場合（ステップＳ０３；Ｎｏ）、並びに、ステップＳ０４において、画像取得部１１によって取得された動画像に対象商品の開封済みのパッケージの画像が含まれていないと判定された場合（ステップＳ０４；Ｎｏ）、判定部１４は、対象商品のパッケージに対して開封動作が行われていないと判定する。そして、判定部１４は、パスコード発行要求をサーバ装置２０に送信することなく、パスコード発行不可であることを表示部１５に表示させ（ステップＳ０６）、認証情報発行処理の一連の処理が終了する。
【００５７】
以上のように、画像取得部１１によって取得された一連の動画像に、図４の（ａ）に示されるような対象商品の未開封のパッケージの画像Ｐｎ、図４の（ｂ）に示されるような対象商品のパッケージを開封する動作の画像Ｐｍ、図４の（ｃ）に示されるような対象商品の開封済みのパッケージの画像Ｐｏがその順に含まれていると判定された場合に、対象商品のパッケージに対して開封動作が行われたと判定される。このように、対象商品のパッケージに対して開封動作が行われたか否かの判定は、複合判定により行われる。
【００５８】
なお、判定部１４は、例えば、開封音等を用いた開封動作の判定をさらに行ってもよい。また、ステップＳ０５及びステップＳ０６において、判定部１４は、端末装置１０の端末ＩＤとともに判定結果をサーバ装置２０に送信し、パスコード発行部２１が判定結果に基づいてパスコードの発行または発行不可を判定してもよい。
【００５９】
次に、図８を参照して、認証情報発行システム１の認証情報表示処理を説明する。図８は、認証情報発行システム１が実行する認証情報表示処理の一例を示すフローチャートである。図８に示される一連の処理は、例えば、端末装置１０において対象商品の専用のアプリケーションが実行され、表示モードに設定されることにより開始される。以後、図８に示される一連の処理は、表示モードでの動作中において、予め定められた時間間隔で繰り返し開始される。
【００６０】
なお、この例では、一回性動作として開封動作が用いられる。また、表示モードでの動作中において、撮像装置１０８による撮像が常に行われている。このとき、画像取得部１１は、撮像装置１０８によって撮像された動画像を取得し、取得した動画像を画像記憶部１２を介して表示部１５に送信し、表示部１５は、受信した動画像を表示する。
【００６１】
まず、判定部１４は、画像取得部１１によって取得された動画像に対象商品の開封済みのパッケージの画像が含まれているか否かを判定する（ステップＳ１１）。この判定は、例えば、図７のステップＳ０４と同様にして行われる。ステップＳ１１において、画像取得部１１によって取得された動画像に対象商品の開封済みのパッケージの画像が含まれていると判定された場合（ステップＳ１１；Ｙｅｓ）、端末ＩＤとともにパスコード表示要求をサーバ装置２０に送信する。
【００６２】
続いて、パスコード発行部２１は、端末装置１０から端末ＩＤ及びパスコード表示要求を受信したことに応じて、端末装置１０に発行したパスコードの有効性を確認するように有効確認部２３に指示する。そして、有効確認部２３は、端末装置１０に発行したパスコードの有効性を確認する指示をパスコード発行部２１から受信したことに応じて、パスコード管理部２２が有するパスコード管理テーブルに基づいて、端末装置１０に発行したパスコードの有効性を判定する（ステップＳ１２）。ステップＳ１２において、パスコード管理部２２は、端末装置１０に発行したパスコードが有効であるか無効であるかをパスコード発行部２１に通知する。
【００６３】
ステップＳ１２において、端末装置１０に発行したパスコードが有効であると判定された場合（ステップＳ１２；Ｙｅｓ）、パスコード発行部２１は、端末装置１０に発行したパスコードを端末装置１０に送信する。そして、表示部１５は、サーバ装置２０から受信したパスコードを、例えば開封済みパッケージの画像に重ねて表示し（ステップＳ１３；表示ステップ）、認証情報表示処理の一連の処理が終了する。
【００６４】
一方、ステップＳ１１において、画像取得部１１によって取得された動画像に対象商品の開封済みのパッケージの画像が含まれていないと判定された場合（ステップＳ１１；Ｎｏ）、並びに、ステップＳ１２において、端末装置１０に発行したパスコードが無効であると判定された場合（ステップＳ１２；Ｎｏ）、表示部１５は、パスコードの表示を行うことなく、画像取得部１１によって取得された動画像を表示し（ステップＳ１４）、認証情報表示処理の一連の処理が終了する。
【００６５】
以上のように、パスコードが発行されてからパスコードの有効期限までの有効期間において、対象商品の開封済みパッケージの画像を含む画像が画像取得部１１によって取得されるごとに、パスコードが表示される。なお、ステップＳ１１の判定では、対象商品の開封済みのパッケージであればよく、パスコード発行のための判定に用いられたパッケージと同一でなくてもよい。
【００６６】
次に、図９を参照して、認証情報発行システム１のサービス提供処理を説明する。図９は、認証情報発行システム１が実行するサービス提供処理の一例を示すフローチャートである。図９に示される一連の処理は、例えば、端末装置１０において、パスコードを入力するための専用のアプリケーションが実行されるか、パスコードを入力するためのウェブページが表示されることにより開始される。
【００６７】
まず、パスコード取得部１６は、入力装置１０６を介してパスコードが入力されたか否かを判定する（ステップＳ２１）。ステップＳ２１において、パスコードが入力されていないと判定された場合（ステップＳ２１；Ｎｏ）、ステップＳ２１の判定が再び行われる。一方、ステップＳ２１において、パスコードが入力されたと判定された場合（ステップＳ２１；Ｙｅｓ）、パスコード取得部１６は、入力されたパスコードを取得し、取得したパスコードをサーバ装置２０に送信する。
【００６８】
続いて、有効確認部２３は、パスコード取得部１６からパスコードを受信したことに応じて、パスコード管理部２２が有するパスコード管理テーブルに基づいて、受信したパスコードが有効であるか無効であるかを判定する（ステップＳ２２）。ステップＳ２２において、パスコードが有効であると判定された場合（ステップＳ２２；Ｙｅｓ）、有効確認部２３は、パスコード取得部１６から受信したパスコードを受け付けて、パスコードが有効であることを提供部２４に通知する（ステップＳ２３）。そして、提供部２４は、パスコードが有効であることが有効確認部２３によって通知されると、例えば、有効なパスコードを送信した端末装置１０に所定のコンテンツ等を送信する。そして、表示部１５は、提供部２４から受信したコンテンツ等を表示し（ステップＳ２４）、サービス提供処理の一連の処理が終了する。
【００６９】
一方、ステップＳ２２において、パスコードが無効であると判定された場合（ステップＳ２２；Ｎｏ）、有効確認部２３は、パスコード取得部１６から受信したパスコードを拒否し、パスコードが無効であることを提供部２４に通知する（ステップＳ２５）。そして、提供部２４は、有効確認部２３からパスコードが無効であることが通知されると、パスコードを送信した端末装置１０に、パスコードが無効であることを示すための情報を送信する。そして、表示部１５は、提供部２４から受信した情報に基づいて、パスコードが無効であることを表示し（ステップＳ２６）、サービス提供処理の一連の処理が終了する。
【００７０】
次に、図１０を参照して、認証情報発行システム１における一連の動作を説明する。図１０は、認証情報発行システム１における一連の動作の一例を示すシーケンス図である。この例では、一回性動作として開封動作が用いられる。
【００７１】
まず、端末装置１０において、例えば、対象商品の専用のアプリケーションが実行され、認証モードに設定される。そして、撮像された画像に基づいて、対象商品のパッケージに対する開封動作が行われたか否かの判定が行われる（ステップＳ１０１；判定ステップ）。開封動作が行われたと判定された場合、パスコード発行要求が端末装置１０の端末ＩＤとともに端末装置１０からサーバ装置２０に送信される（ステップＳ１０２）。
【００７２】
続いて、サーバ装置２０では、端末装置１０から端末ＩＤ及びパスコード発行要求が受信されたことに応じて、パスコードが発行され、パスコードと、パスコード発行要求を送信した端末装置１０の端末ＩＤと、パスコードの発行時刻と、パスコードの有効性を示す情報と、が対応付けられて管理される。そして、発行されたパスコードが、サーバ装置２０からパスコード発行要求を送信した端末装置１０に送信される（ステップＳ１０３；認証情報発行ステップ）。
【００７３】
続いて、端末装置１０では、サーバ装置２０から受信したパスコードが、例えば開封済みパッケージの画像に重畳表示される。その後、パスコードの有効期間内において、端末装置１０のユーザによって、パスコードを入力するための専用のアプリケーションまたはウェブページ等にパスコードが入力されると、入力されたパスコードが端末装置１０からサーバ装置２０に送信される（ステップＳ１０４）。
【００７４】
続いて、サーバ装置２０では、端末装置１０から受信したパスコードの有効性が判定される（ステップＳ１０５）。パスコードの有効期間内であるので、パスコードが受け付けられ、所定のコンテンツ等がサーバ装置２０から端末装置１０に送信される（ステップＳ１０６）。そして、端末装置１０では、サーバ装置２０から受信したコンテンツ等が表示され、ユーザによって閲覧される（ステップＳ１０７）。
【００７５】
一方、パスコードの有効期限経過後に、端末装置１０のユーザによって、パスコードを入力するための専用のアプリケーションまたはウェブページ等にパスコードが入力されると、入力されたパスコードが端末装置１０からサーバ装置２０に送信される（ステップＳ１０８）。
【００７６】
続いて、サーバ装置２０では、端末装置１０から受信したパスコードの有効性が判定される（ステップＳ１０９）。パスコードの有効期限経過後であるので、パスコードが拒否され、パスコードが無効であることを示すための情報がサーバ装置２０から端末装置１０に送信される（ステップＳ１１０）。そして、端末装置１０では、サーバ装置２０から受信した情報に基づいて、パスコードの無効、または、パスコードの失効が表示され、コンテンツ等の閲覧が不可能となる（ステップＳ１１１）。
【００７７】
以上のように、認証情報発行システム１では、パッケージに対して、開封動作等の一回性動作（一回性の行為）が行われたことをトリガとして、パスコードが発行される。このパスコードには有効期限が付され、パスコードの発行から有効期限までの有効期間内において、一回性動作が行われた後のパッケージに撮像装置１０８がかざされること、つまり、一回性動作が行われた後のパッケージが撮像装置１０８によって撮像されることによって、パスコードが表示される。パスコードの有効期限が経過すると、パスコードが非表示となり、一回性動作が行われる前のパッケージに再び一回性動作が行われるまではパスコードの表示が行われない。また、パスコードの有効期間内は、パスコードの入力によって所定のサービスの提供が行われるが、パスコードの有効期限が経過すると、パスコードが入力されてもエラーとなる。
【００７８】
次に、認証情報発行システム１及び認証情報発行システム１が行う認証情報発行方法の作用効果について説明する。認証情報発行システム１及び認証情報発行システム１が行う認証情報発行方法では、対象商品のパッケージに対して一回性動作（例えば、パッケージの開封動作）が行われたことが判定されたことに応じて、パスコードが発行され、発行されたパスコードが表示される。対象商品のパッケージに対する一回性動作は、動作が行われる前の状態にパッケージを戻すことができない不可逆な動作であるので、商品を購入した後で行われ、対象商品の購入に対してパスコードが一度だけ発行される。このため、商品を購入することなくパスコードが取得されること、及び、同じパッケージを用いて何度もパスコードが発行されることを防止できる。つまり、パスコードのテンポラリー性（一回性）が確保される。そして、対象商品のパッケージに対する一回性動作は、汎用のパッケージを用いて行われ得るので、パスコードの発行のために特別なパッケージを準備する必要がない。このため、商品の製造における作業を増加させることなく、パスコードが不正に取得されることを抑制することが可能となる。
【００７９】
また、画像を用いて一回性動作が判定されるので、一回性動作の判定精度を向上することが可能となる。さらに、一回性動作の画像だけでなく、一回性動作が行われる前後のパッケージの画像が、撮像された動画像に含まれるか否かを判定することによって、一回性動作が行われたことが判定される。このように、複数の判定ポイントが用いられるので、一回性動作の判定精度をさらに向上することが可能となる。
【００８０】
また、パスコードが発行されてからパスコードの有効期限までの有効期間内に、一回性動作が行われた後のパッケージの画像を含む画像が撮像されることによって、発行されたパスコードが表示される。また、パスコードが有効期間内に使用された場合に限ってサービスが提供される。このため、サービスの提供を受けることをユーザに促すことができる。
【００８１】
図１１は、第２実施形態に係る認証情報発行システムの構成を概略的に示す図である。図１１に示されるように、認証情報発行システム１Ａは、認証情報発行システム１と比較して、端末装置１０及びサーバ装置２０に代えて端末装置１０Ａ及びサーバ装置２０Ａを備える点において相違している。端末装置１０Ａは、端末装置１０と比較して、画像記憶部１２、画像記憶部１３及び判定部１４を備えない点、並びに、画像送信部１７をさらに備える点において相違している。サーバ装置２０Ａは、サーバ装置２０と比較して、画像記憶部２５、画像記憶部２６及び判定部２７をさらに備える点において相違している。
【００８２】
画像送信部１７は、画像取得部１１によって取得された画像をサーバ装置２０に送信する画像送信手段として機能する。画像送信部１７は、画像取得部１１によって取得された画像を表示部１５にも出力する。
【００８３】
画像記憶部２５、画像記憶部２６及び判定部２７はそれぞれ、認証情報発行システム１の画像記憶部１２、画像記憶部１３及び判定部１４に相当する。画像記憶部２５、画像記憶部２６及び判定部２７の処理は、画像記憶部１２、画像記憶部１３及び判定部１４の処理と同様であるので、その説明を省略する。
【００８４】
以上の認証情報発行システム１Ａによっても、上述した認証情報発行システム１と同様の効果が奏される。また、認証情報発行システム１Ａは、サーバ装置２０Ａが判定部２７を備えることにより、認証情報発行システム１と比較して、情報量の多いデータを処理することが可能となる。このため、認証情報発行システム１Ａによれば、認証情報発行システム１よりもさらに詳細な画像判定を実施することが可能となる。
【００８５】
なお、本発明は、上述した実施形態に限定されない。例えば、判定部１４が判定する一回性動作は開封動作に限られない。一回性動作は、動作が行われる前の状態に戻すことができない不可逆な動作であればよい。一回性動作は、例えば、対象商品のパッケージにおいて、通常は折り目が存在しない部分に折り目をつけること、開封とは無関係なパッケージの一部分を切り取ること、パッケージの着火等であってもよい。
【００８６】
また、判定部１４は、一回性動作判定として、一回性動作及びその動作の前後の状態を判定する複合判定を用いているが、一回性動作だけの判定でもよい。また、判定部１４は、複合判定に加えて、音によって一回性動作が行われたか否かを判定してもよい。判定部１４は、例えば、対象商品のパッケージが開封されるときに発生する音を記憶しておき、その音と比較することによって、一回性動作が行われたか否かを判定してもよい。つまり、判定部１４は、一回性動作が行われたか否かを判定し得る１つの判定を行えばよく、判定精度を向上するために、２以上の適宜組み合わされた判定を行ってもよい。
【００８７】
また、上記実施形態では、パスコード発行部２１は、端末装置１０に発行したパスコードが有効であることが有効確認部２３によって確認された場合、端末装置１０に発行したパスコードを端末装置１０に再送信しているが、パスコードの再送信に代えて、パスコードが有効であるか無効であるかを示す情報を端末装置１０に送信してもよい。この場合、端末装置１０では、パスコード発行部２１によって発行されたパスコードを記憶しておき、パスコード発行部２１からパスコードが有効であることを示す情報を受信した場合に、表示部１５は、パスコードを表示し、パスコード発行部２１からパスコードが無効であることを示す情報を受信した場合に、表示部１５は、パスコードを表示しないようにしてもよい。
【００８８】
また、表示部１５は、撮像開始のタイミングをデジタルマーカ等で表示し、対象商品のパッケージの一回性動作に関する動画像をユーザに撮像させるようにしてもよい。この場合、画像取得部１１によって取得された動画像に含まれる、一回性動作の前後における不要な部分を削減することができ、判定部１４による判定の効率を向上することが可能となる。
【００８９】
また、上記実施形態では、専用アプリケーションが実行され、認証モードが設定されることによって、判定部１４は、一回性動作判定を行い、表示モードが設定されることによって、判定部１４は、パスコード表示判定を行っているが、これに限られない。例えば、判定部１４は、まず、一回性動作判定を行い、パスコードが発行された後は、自動でパスコード表示判定を行うようにしてもよい。
【符号の説明】
【００９０】
１，１Ａ…認証情報発行システム、１０，１０Ａ…端末装置、１１…画像取得部（画像取得手段）、１４，２７…判定部（判定手段）、１５…表示部（表示手段）、１６…パスコード取得部（認証情報取得手段）、２０，２０Ａ…サーバ装置、２１…パスコード発行部（認証情報発行手段）、２２…パスコード管理部（認証情報管理手段）、２３…有効確認部（有効確認手段）、２４…提供部（提供手段）。
【図１】
2016115056.tif 000003
【図２】
2016115056.tif 000004
【図３】
2016115056.tif 000005
【図４】
2016115056.tif 000006
【図５】
2016115056.tif 000007
【図６】
2016115056.tif 000008
【図７】
2016115056.tif 000009
【図８】
2016115056.tif 000010
【図９】
2016115056.tif 000011
【図１０】
2016115056.tif 000012
【図１１】
2016115056.tif 000013